(57)【要約】      （修正有）【課題】装置構成がシンプルであり、負荷試験を実施する現場への搬送を容易に行えるとともに、安全面についても十分に配慮がなされた負荷試験装置を提供する。【解決手段】負荷試験装置１０は、吸気口及び排気口２２を備えた箱状の本体２０と、通電により発熱する発熱体３０と、発熱体３０に対して通電を行うための通電機構４０と、本体２０を搭載した状態で移動させることが可能な筐体５０とを有する。本体２０の内部には発熱体３０が収容されており、吸気口から本体２０内に導入された空気を発熱体３０において加熱し、排気口２２から排出することにより発電機の負荷試験を実施する。筐体５０は、金属製の軸体によって構成された構造躯体５４に対し、通電機構４０のうち本体２０の外側に配置された部分をカバーするための保護カバー５６，５８を取り付ける。【選択図】図１
0003160347.tif 000002
【実用新案登録請求の範囲】
【請求項１】
吸気口及び排気口を備えた箱状の本体と、
通電により発熱する発熱体と、
前記発熱体に対して通電を行うための通電機構と、
前記本体を搭載した状態で移動させることが可能な筐体とを有し、
前記本体の内部に前記発熱体が収容されており、前記吸気口から本体内に導入された空気を発熱体において加熱し、排気口から排出することにより発電機の負荷試験を実施可能なものであり、
前記筐体が、金属製の軸体によって構成された構造躯体に対し、前記通電機構のうち前記本体の外側に配置された部分をカバーするための保護カバーを取り付けたものであることを特徴とする負荷試験装置。
【請求項２】
前記通電機構が、電線と、前記電線が接続される端子と、前記発熱体への通電状態を調整するための通電状態調整手段とを有し、一部又は全部が前記本体の外側に配置されたものであり、
前記通電機構において本体の外側に配置された部分の一部又は全部が、前記保護カバーによってカバーされていることを特徴とする請求項１に記載の負荷試験装置。
【請求項３】
前記保護カバーの一部又は全部が、絶縁体によって形成されていることを特徴とする請求項１又は２に記載の負荷試験装置。
【請求項４】
前記保護カバーの一部又は全部が、樹脂板によって形成されていることを特徴とする請求項１〜３のいずれかに記載の負荷試験装置。
【請求項５】
前記保護カバーの一部又は全部が透光性を有する材質によって形成されており、前記筐体の外側から前記通電機構のうち前記本体の外側に配置された部分の一部又は全部を視認可能であることを特徴とする請求項１〜４のいずれかに記載の負荷試験装置。
【請求項６】
前記本体の吸気口から排気口に向かう方向に気流を発生させることが可能な送風機を有し、
前記送風機を、前記本体及び前記筐体から分離した状態で移動させることが可能であることを特徴とする請求項１〜５のいずれかに記載の負荷試験装置。
【考案の詳細な説明】
【技術分野】
【０００１】
本考案は、発電機の負荷試験に用いられる負荷試験装置に関するものである。
【背景技術】
【０００２】
従来、下記特許文献１〜３に開示されているような負荷試験装置が提供されている。特許文献１に開示されている負荷試験装置は、発電機の定格電圧値および定格電力値と、試験電力値または試験電流値とを入力可能とする入力手段と、入力された定格電圧値および定格電力値と、試験電力値または試験電流値とから前記試験負荷を生成するのに必要な試験抵抗値を算出し、複数の抵抗器から前記試験抵抗値を生成するのに必要な前記抵抗器を選択するとともに、選択結果を信号として出力する演算手段と、前記信号の入力により前記抵抗値を生成するのに必要な前記抵抗器を負荷回路に接続する制御回路とを備えたものである。この負荷試験装置は、試験対象となる発電機の定格電圧値や定格電力値などを入力するだけで試験負荷値の算出や、試験に用いる抵抗器の選択を自動的に行える構成とされている。
【０００３】
また、下記特許文献２に開示されている負荷試験装置は、絶縁板に対して発熱線を螺旋状に巻きつけることにより形成された抵抗体を複数取り付け、この抵抗体をファンにより冷却できるようにするとともに、切換スイッチを操作することにより特定の発熱線にのみ発電機からの電力が供給されるようにしたものである。この負荷試験装置は、水の電気抵抗を負荷として用いた場合に比べて正確かつ容易に負荷抵抗を調整できるとともに、水を用いない分だけ軽量であるため発電機が設置されている現場に移動させて負荷試験を実施することができる。
【０００４】
下記特許文献３に開示されている負荷試験装置は、金属電熱材料からなる帯状抵抗体を配置して構成したものであり、耐熱絶縁材よりなる２本の平行なスリット付き支持体間に前記帯状抵抗体を嵌め込むことにより蛇行状に配置したものである。この負荷試験装置についても、上述した特許文献２に係る負荷試験装置と同様に水の電気抵抗を負荷として用いるものでないため、その分だけ設備が簡単かつ小型となり、発電機が設置されている現場に搬送し負荷試験を実施することができる。
【先行技術文献】
【特許文献】
【０００５】
【特許文献１】特開２０００−１６２２９１号公報
【特許文献２】特開２０００−１２１７０９号公報
【特許文献３】実開平５−７６００５号公報
【考案の概要】
【考案が解決しようとする課題】
【０００６】
上述した特許文献１に開示されている負荷試験装置は、試験負荷値の算出や、試験に用いる抵抗器の選択を自動的に行えるため取り扱いが容易ではあるが、入力手段や演算手段、制御回路などを設けた分だけ装置構成が複雑である。また、特許文献１に開示されている負荷試験装置は、金属製の箱体の内部に前述した入力手段や演算手段、発熱体などの構成体を組み込んだものである。したがって、この負荷試験装置は、重量が極めて大きく、試験を実施する現場等への搬送が困難であるという問題がある。
【０００７】
特許文献２や特許文献３に開示されている負荷試験装置については、水の電気抵抗を負荷として用いるものでない分だけ装置構成がシンプルかつ小型ではあるが、送風口や排気口を構成する部分以外が閉塞された金属性の箱体の内部に構成部材を収容したものであるため、重量が大きく、負荷試験を実施する現場への搬送が困難であるという問題がある。また、特許文献２に開示されている負荷試験装置では、発熱体への通電用に設けられた通電機構のうち前記本体の外側に配置された部分にカバーが施されておらず、安全性に劣るという問題がある。
【０００８】
一方、特許文献３に開示されている負荷試験装置では、通電機構の全体が本体をなす金属製の箱体の内部に収容され、視認できない構造とされているため、例えば端子や電線などに不具合が発生した場合などにこれを容易に確認できないという問題がある。さらに、特許文献２，３に開示されている負荷試験装置では、送風機が本体の内部に収容されるなどして一体化されており、本体と分離して搬送することができないという問題がある。
【０００９】
そこで、かかる知見に基づき、本考案は、装置構成がシンプルであり、負荷試験を実施する現場への搬送を容易に行えるとともに、安全面についても十分に配慮がなされた負荷試験装置の提供を目的とした。
【課題を解決するための手段】
【００１０】
上述した課題を解決すべく提供される本考案の負荷試験装置は、吸気口及び排気口を備えた箱状の本体と、通電により発熱する発熱体と、前記発熱体に対して通電を行うための通電機構と、前記本体を搭載した状態で移動させることが可能な筐体とを備えている。本考案の負荷試験装置は、前記本体の内部に前記発熱体が収容されており、前記吸気口から本体内に導入された空気を発熱体において加熱し、排気口から排出することにより発電機の負荷試験を実施可能なものであり、前記筐体が、金属製の軸体によって構成された構造躯体に対し、前記通電機構のうち前記本体の外側に配置された部分をカバーするための保護カバーを取り付けたものであることを特徴としている。
【００１１】
上述した本考案の負荷試験装置は、前記通電機構が、電線と、前記電線が接続される端子と、前記発熱体への通電状態を調整するための通電状態調整手段とを有し、一部又は全部が前記本体の外側に配置されたものとすることが可能である。かかる構成とした場合、前記通電機構において本体の外側に配置された部分の一部又は全部を、前記保護カバーによってカバーした構成とすることが好ましい。
【００１２】
本考案の負荷試験装置は前記保護カバーの一部又は全部が、絶縁体によって形成されていることが望ましい。また、本考案の負荷試験装置は、前記保護カバーの一部又は全部が、樹脂板によって形成されていることが望ましい。さらに、本考案の負荷試験装置は、前記樹脂板が透光性を有するものであり、前記樹脂板を介して前記筐体の外側から前記通電機構のうち前記本体の外側に配置された部分の一部又は全部を視認可能なものであることがより一層望ましい。
【００１３】
また、本考案の負荷試験装置は、前記本体の吸気口から排気口に向かう方向に気流を発生させることが可能な送風機を有し、前記送風機を、前記本体及び前記筐体から分離した状態で移動させることが可能なものであることが好ましい。
【考案の効果】
【００１４】
本考案の負荷試験装置は、前記本体を搭載した状態で移動させることが可能な筐体が、金属製の軸体によって構成された構造躯体によって主要部が構成されており、構成が極めてシンプルである。したがって、本考案の負荷試験装置は、極めて軽量であり、負荷試験の実施現場に向けて容易に搬送することができる。また、本考案の負荷試験装置は、通電機構のうち本体の外側に配置された部分をカバーするための保護カバーが前述した構造筐体に取り付けられているため、負荷試験に従事する作業者の安全性を確保することができる。
【００１５】
また、本考案の負荷試験装置は、通電機構をなす電線や、端子、通電状態調整手段の一部又は全部を筐体を構成する保護カバーによってカバーした構成としたものであり、負荷試験の従事者が感電する等の事故を未然に防止することができる。
【００１６】
本考案の負荷試験装置は、上述した保護カバーの一部又は全部を樹脂板によって形成することにより、より一層の軽量化を図り、負荷試験を行う現場に容易に搬送可能とすることができる。また、保護カバーの一部又は全部を樹脂板により構成することにより、万が一保護カバーが通電機構を構成する端子などに触れることがあっても電気的に絶縁された状態を維持することができ、感電等の事故が発生するのを防止することができる。
【００１７】
また、本考案の負荷試験装置は、保護カバーをなす樹脂板として透光性を有するものを採用し、樹脂板を介して前記筐体の外側から前記通電機構のうち前記本体の外側に配置された部分の一部又は全部を視認可能なものとすれば、例えば通電制御用のスイッチ類などの状態の確認や、通電機構における不具合の有無を外部から容易に確認することが可能となる。
【００１８】
本考案の負荷試験装置は、送風機を、本体や筐体から分離した状態で移動させることが可能なものとされているため、狭い場所を通って搬入しなければならない場合などであっても容易に搬入し、負荷試験を実施することができる。
【図面の簡単な説明】
【００１９】
【図１】本考案の一実施形態に係る負荷試験装置を示す斜視図である。
【図２】図１に示す負荷試験装置を構成する試験ユニットの正面図である。
【図３】図１に示す負荷試験装置を構成する試験ユニットの平面図である。
【図４】図１に示す負荷試験装置を構成する試験ユニットの側面図である。
【考案を実施するための形態】
【００２０】
続いて、本考案の一実施形態に係る負荷試験装置１０について、図面を参照しつつ詳細に説明する。負荷試験装置１０は、本体２０を中心として構成された試験ユニット１２と、これに対して着脱することが可能であり送風機能を備えた送風ユニット１４（送風機）とを有する。メインユニット１２は、本体２０のほか、発熱体３０や通電機構４０、筐体５０などを備えている。
【００２１】
本体２０は、金属製で正面及び背面側が大きく開口した箱体によって構成されている。本体２０の正面２０ａ側の開口は排気口２２として機能し、背面２０ｂ側の開口は吸気口２４として機能する。本体２０の内部には、後に詳述する発熱体３０が収容されており、左側面２０ｃ及び右側面２０ｄには、端子４６が多数設けられている。この端子４６は、発熱体３０に対して電気的に接続されており、後に詳述する通電機構４０の一部を構成するものである。また、本体２０の天面２０ｅは、後に詳述する通電機構４０を構成するスイッチ４８ａなどが配置された面である。
【００２２】
発熱体３０は、通電により発熱する棒状の部材であり、本体２０の吸気口２４から導入された空気を加熱する機能を有する。発熱体３０は、本体２０の内部において左側面２０ｃと右側面２０ｄとの間を横断するように取り付けられている。発熱体３０は、本体２０内に複数設けられており、本体２０内において上下方向及び奥行き方向に所定の配置状態となるように設置されている。発熱体３０に通電することにより、各発熱体３０の間に形成された隙間を流れる空気を加熱することができる。発熱体３０は、それぞれ上述した端子４６に接続されている。
【００２３】
通電機構４０は、発熱体３０に対して通電を行うためのものであり、多数の電線４２や、電線４２を接続するための端子４４，４６、通電状態調整手段４８などを有する。端子４４は、本体２０の天面２０ｅに設けられており、通電状態調整手段４８をなすスイッチ４８ａなどに接続された電線４２を接続するために設けられたものである。また、端子４６は、本体２０内に収容されている発熱体３０に対して電気的に接続されたものであり、各端子４６間が、所定の接続状態となるように電線４２によって接続されている。通電機構４０は、通電状態調整手段４８により設定された条件により、発熱体３０への通電を行わせることができる。通電機構４０は、電線４２や端子４４，４６、通電状態調整手段４８を本体２０の外側に配置した構成とされている。
【００２４】
筐体５０は、上述した本体２０を搭載した状態で移動させることが可能なものである。筐体５０は、構造躯体５４によってその主要部が構成され、底部にキャスター５２が取り付けられたカート状のものである。また、筐体５０には、保護カバー５６，５７が取り付けられている。
【００２５】
構造躯体５４は、金属製で角柱状の軸体によって構成された骨組み構造であり、筐体５０の外殻を構成している。構造躯体５４は、上述した本体２０の左側面２０ｃ側及び右側面２０ｄ側に相当する位置に持手５４ａを備えており、負荷試験装置１０を移動等させる際にこの持手５４ａを作業者がつかむことが可能とされている。
【００２６】
保護カバー５６，５７は、上述した通電機構４０において本体２０の外側に配置された部分の一部又は全部をカバーし、使用者を感電等の弊害から保護する役目を果たすものである。保護カバー５６は、本体２０の天面２０ｅ側に取り付けられたものであり、カバー本体６０とカバー板６２とを備えている。
【００２７】
カバー本体６０は、金属製であり、天面６０ａと、これに対して略垂直な正面６０ｂ及び背面６０ｃとを備えた断面形状が略「コ」字型の部材である。カバー本体６０は、天面６０ａが本体２０の天面２０ｅと略平行となり、正面６０ｂ及び背面６０ｃがそれぞれ本体２０の正面２０ａ側及び背面２０ｂ側に向くように配置され、固定されている。また、天面６０ａには、略矩形の窓６０ｄが形成されている。窓６０ｄには、絶縁性を有し透明の樹脂板からなるカバー板６２が装着されている。これにより、窓６０ｄを通じて本体２０の天面２０ｅ上に取り付けられている通電状態調整手段４８を構成するスイッチ４８ａなどを視認可能であるが、作業者などが誤ってスイッチ４８ａなどに触れないように保護された状態になっている。
【００２８】
保護カバー５８は、本体２０の左側面２０ｃ及び右側面２０ｄに多数設けられている通電機構４０の端子４６から作業者などを保護するために設けられたものである。保護カバー５８は、上述したカバー板６２と同様に、透明の樹脂板によって構成されており、これを通じて端子４６や電線４２を視認することができるようになっている。また、保護カバー５８は、絶縁性を有するものであり、左側面２０ｃ及び右側面２０ｄに対して略平行となるように取り付けられている。端子４６や電線４２は、保護カバー５８と左側面２０ｃ及び右側面２０ｄとの間に形成される空間内に納められているため、作業者が予期せず端子４６や電線４２に触れてしまうのを防止することができる。
【００２９】
送風ユニット１４は、上述した試験ユニット１２に対して送風を行うためのものであり、試験ユニット１２とは別体として形成されている。送風ユニット１４は、送風機本体７０と、送風機筐体７２とを備えている。送風機本体７０は、通電により回転するファン７４を備えたものであり、送風ユニット１４の背面１４ｂ側から正面１４ａ側に向けて送風可能とされている。送風機筐体７２は、送風機本体７０が取り付けられたものであり、金属製で角柱状の軸体によって構成された構造躯体７６によって主要部が構成されている。送風機筐体７２は、構造躯体７６の底部にキャスター７８を備えており、試験ユニット１２とは別に適宜移動させることが可能とされている。
【００３０】
負荷試験装置１０は、上述した試験ユニット１２と送風ユニット１４とに分けた状態で負荷試験を行う現場に搬入することができる。また、現場への搬入後、試験ユニット１２をなす本体２０の背面２０ｂと、送風ユニット１４の正面１４ａとが向き合うように配置した状態において送風ユニット１４を作動させることにより、本体２０の背面２０ｂ側に設けられた吸気口２４から正面２０ａ側に設けられた排気口２２に向かう気流を発生させることができる。そのため、負荷試験装置１０は、発熱体３０に対して通電を行っている状態において、送風ユニット１４を作動させることにより、加熱された空気を試験対象である発電機側に供給し、負荷試験を行うことができる。また、通電状態調整手段４８により通電条件を調整したり、送風ユニット１４による送風条件を調整することにより、発電機側に供給する空気の温度や供給量を調整し、様々な条件下において負荷試験を行うことができる。
【００３１】
上述したように、本実施形態の負荷試験装置１０は、試験ユニット１２の筐体５０の主要部が、金属製の軸体によって構成された構造躯体５４によって構成されており、極めてシンプルな構造とされている。したがって、本実施形態の負荷試験装置１０は、極めて軽量であり、負荷試験の実施現場に向けて容易に搬送することができる。
【００３２】
また、本実施形態の負荷試験装置１０は、通電機構４０のうち本体２０の外側に配置された部分、具体的には電線４２や、端子４４、通電状態調整手段４８のスイッチ４８ａ等をカバーするための保護カバー５６，５８が構造筐体５０に取り付けられている。そのため、本実施形態の負荷試験装置１０は、負荷試験に従事する作業者の安全性に十分な配慮がなされている。なお、本実施形態では、電線４２や、端子４４、スイッチ４８ａ等が全て保護カバー５６，５８によってカバーされた例を例示したが、本考案はこれに限定される訳ではなく、通電機構４０をなすものの一部について保護カバー５６，５８などのカバーによって保護されていない構成であってもよい。具体的には、例えばスイッチ４８ａなど、操作に必要な部分や感電などの危険性が低いと想定される部分を保護カバー５６，５８などによってカバーしない構成とすることも可能である。かかる構成とした場合は、操作性を向上させたり、カバーが不要な分だけさらに軽量化を図ったりすることが可能となる。
【００３３】
本実施形態の負荷試験装置１０は、保護カバー５６の一部、及び保護カバー５８の全部を樹脂板によって形成したものであり、全体を金属製のカバーで覆ったものとした場合に比べて格段に軽量化を図ることができ、負荷試験を行う現場等への搬送に要する労力を最小限に抑制することができる。保護カバー５６，５８の一部又は全部を樹脂板によって構成することにより、通電機構４０を構成する端子４４などとの接触が生じても電気的に絶縁された状態を維持することができ、感電などの事故が発生するのを防止することができる。
【００３４】
また、本実施形態の負荷試験装置１０では、保護カバー５６，５８をなす樹脂板として透光性を有するものが採用されており、この樹脂板を介して外側から通電機構４０をなす電線４２や端子４４、スイッチ４８ａなどを視認することができる。そのため、負荷試験装置１０は、通電機構４０における電線４２の接続不良の有無などの確認や、スイッチ４８ａなどによって決定される通電条件の設定を外部から容易に確認をすることができる。
【００３５】
本実施形態では、保護カバー５６のカバー板６２や保護カバー５８の全体を絶縁性及び透光性を有する樹脂板によって構成した例を例示したが、本考案はこれに限定されるものではなく、通電機構４０に作業者などが触れないよう保護可能なものであればいかなるものによって構成されていてもよい。具体的には、カバー板６２や保護カバー５８は、透光性を有しないものによって構成されていてもよく、樹脂板以外のものによって構成されていてもよい。
【００３６】
保護カバー５６は、カバー板６２を除く部分が金属板によって構成されたものであったが、本考案はこれに限定されるものではなく、保護カバー５６の全体が樹脂製であってもよい。また、保護カバー５８は、全体が樹脂板によって構成されたものであったが、本考案はこれに限定されるものではなく、例えば樹脂板の外周部分を金属製のフレームで補強したもののように一部が樹脂以外のものによって構成されたものや、全体が樹脂以外のものによって構成されたものであってもよい。
【００３７】
上述したように、負荷試験装置１０は、送風ユニット１４を、本体２０や筐体５０から分離した状態で移動させることが可能であるため、狭い場所を通ったりエレベータを利用せねばならないような場所であっても容易に搬入し、負荷試験を実施することができる。なお、本実施形態では、試験ユニット１２と送風ユニット１４とを別々に分離した状態とすることが可能なものを例示したが、本考案はこれに限定されるものではなく、試験ユニット１２と送風ユニット１４とが一体化されたものであってもよい。
【符号の説明】
【００３８】
１０  負荷試験装置
１２  試験ユニット
１４  送風ユニット（送風機）
２２  排気口
２４  吸気口
３０  発熱体
４０  通電機構
５０  筐体
５４  構造躯体
５６  保護カバー（本体天面側）
５８  保護カバー（本体側面側）
【図１】
0003160347.tif 000003
【図２】
0003160347.tif 000004
【図３】
0003160347.tif 000005
【図４】
0003160347.tif 000006
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
吸気口及び排気口を備えた箱状の本体と、
通電により発熱する発熱体と、
前記発熱体に対して通電を行うための通電機構と、
前記本体を搭載した状態で移動させることが可能な筐体とを有し、
前記本体の内部に前記発熱体が収容されており、前記吸気口から本体内に導入された空気を発熱体において加熱し、排気口から排出することにより発電機の負荷試験を実施可能なものであり、
前記筐体が、金属製の軸体によって構成された構造躯体に対し、前記通電機構のうち前記本体の外側に配置された部分をカバーするための保護カバーを取り付けたものであることを特徴とする負荷試験装置。
【請求項２】
前記通電機構が、電線と、前記電線が接続される端子と、前記発熱体への通電状態を調整するための通電状態調整手段とを有し、一部又は全部が前記本体の外側に配置されたものであり、
前記通電機構において本体の外側に配置された部分の一部又は全部が、前記保護カバーによってカバーされていることを特徴とする請求項１に記載の負荷試験装置。
【請求項３】
前記保護カバーの一部又は全部が、絶縁体によって形成されていることを特徴とする請求項１又は２に記載の負荷試験装置。
【請求項４】
前記保護カバーの一部又は全部が、樹脂板によって形成されていることを特徴とする請求項１〜３のいずれかに記載の負荷試験装置。
【請求項５】
前記保護カバーの一部又は全部が透光性を有する材質によって形成されており、前記筐体の外側から前記通電機構のうち前記本体の外側に配置された部分の一部又は全部を視認可能であることを特徴とする請求項１〜４のいずれかに記載の負荷試験装置。
【請求項６】
前記本体を中心として構成された試験ユニットと、
前記試験ユニットとは別体として形成され、前記本体の吸気口から排気口に向かう方向に気流を発生させることが可能な送風機とを有することを特徴とする請求項１〜５のいずれかに記載の負荷試験装置。